(57)【要約】【課題】ショッピングバッグについて、衝撃に弱い物品を収納した際に、その破損を防止する手段を講じる。【解決手段】バッグ本体１１の背面部内面に開口部分を縫い付けた袋状ポケット１２の下縁部と、バッグ本体１１の正面部内面の開口部近辺のそれぞれに、スナップボタン１１ｃ、１２ｂを取り付け、その係合により袋状ポケット１２をバッグ本体１１内でハンモック状に展張して固定できるようにした。ハンモック状にした袋状ポケット１２の内に、卵パックＰ等の物品を収納する。袋状ポケット１２はバッグ本体１１から独立して揺れ動き衝撃を吸収緩和するため、収納物品には衝撃が伝わらずその破損が防がれる。【選択図】図３
0003138365.tif 000002
【実用新案登録請求の範囲】
【請求項１】
開口した上縁に持ち手を有するバッグ本体の内面に、袋状ポケットの開口した上縁部を固着し、前記バッグ本体の袋状ポケットの固着部分と対向する内面に、袋状ポケットの下縁部を着脱可能とし、この袋状ポケットをバッグ本体への固着部分からバッグ本体の対向する内面にかけてハンモック状に展張して固定できるようにしたショッピングバッグ。
【請求項２】
上記袋状ポケットの下縁部と、上記バッグ本体のこの袋状ポケットの固着部分と対向する内面のそれぞれに、スナップボタンを取り付け、そのスナップ係合によりポケットをハンモック状に展張して固定できるようにした請求項１に記載のショッピングバッグ。
【請求項３】
上記袋状ポケットは、ナイロンリップの生地で形成された請求項１または２に記載のショッピングバッグ。
【考案の詳細な説明】
【技術分野】
【０００１】
この考案は、衝撃に弱い物品の収納に好適なショッピングバッグに関する。
【背景技術】
【０００２】
スーパーマーケット、コンビニエンスストアなどで買い物をする際に、毎回使い捨てのビニール袋に購買品を詰めてもらうのは、資源の無駄遣いであるため、近年問題視されている。
そのため、エコバッグと称する、開口した上縁に持ち手を有する角底袋状のショッピングバッグを持参して、食料品をはじめとする購入品をこれに直接収納するということがよく行われている。
【０００３】
このような従来のショッピングバッグでは、卵や苺などの衝撃に弱い食料品を収納した際に、これらが割れたり傷んだりするのを防止するための工夫がなされておらず、改良の余地があった。
【考案の開示】
【考案が解決しようとする課題】
【０００４】
そこで、この考案は、ショッピングバッグについて、衝撃に弱い物品を収納した際に、その破損を防止する手段を講じることを課題とする。
【課題を解決するための手段】
【０００５】
上記した課題を解決するため、ショッピングバッグについて、開口した上縁に持ち手を有するバッグ本体の内面に、袋状ポケットの開口した上縁部を固着し、前記バッグ本体の袋状ポケットの固着部分と対向する内面に、袋状ポケットの下縁部を着脱可能とし、この袋状ポケットをバッグ本体への固着部分からバッグ本体の対向する内面にかけてハンモック状に展張して固定できるようにしたのである。
【０００６】
このハンモック状に展張した袋状ポケットの上に卵などの衝撃に弱い物品を載置したり、袋状ポケット内に収納したりすると、物品の破損が防止できる。
すなわち、バッグ本体に衝撃がかかった際にも、内部のハンモックはバッグ本体から独立して揺れるため、この衝撃は吸収緩和されて物品には伝わらないことになる。
【０００７】
袋状ポケットをハンモック状に展張固定するには、袋状ポケットの下縁部と、上記バッグ本体のポケットの固着部分と対向する内面のそれぞれに、スナップボタンを取り付け、そのスナップ係合によるのが好ましい。
このようにすると、安価簡易にして袋状ポケット下縁部のバッグ本体内面への着脱を実現でき、また、スナップボタンは構造が簡易で頑丈であるため耐久性も良好である。
【０００８】
袋状ポケットは、ナイロンリップの生地、すなわちナイロン生地の表面に微細な凹凸が形成されるように編成されたものが好ましい。
ナイロンリップは、そのナイロン繊維の一部がほどけた場合でも、凹凸があることで連続的なほどけが抑制されるようになっている。
したがって、ハンモックに載せたり、収納したりした物品の重みで繊維が連続的にほどけ、ハンモック全体が破断し、載置収納した物品が落下破損してしまうといった事態が防がれる。
【考案の効果】
【０００９】
ショッピングバッグの内面にハンモック状に展張可能な袋状ポケットを設け、このハンモックに衝撃に弱い物品を載置または収納できるようにしたため、ハンモックの揺れで外部からの衝撃を吸収緩和して物品の破損を防止することが可能となった。
【考案を実施するための最良の形態】
【００１０】
図１から図３に示すように、実施形態のショッピングバッグ１０は、上縁に開口が設けられた角底袋状のバッグ本体１１と、このバッグ本体１１の背面部の内面に縫い付けられた、バッグ本体１１より小型の平袋状の袋状ポケット１２と、バッグ本体１１の正面部の内面に縫い付けられた、袋状ポケット１２よりも小型のインナーポケット１３とからなる。
【００１１】
袋状ポケット１２は、その開口に面ファスナ１２ａが取り付けられて開閉自在となっており、この開口から上方に延出した上縁部がバッグ本体１１の開口近傍の内面に縫い付けられている。
また、その下縁部には、凸側（雄側）のスナップボタン１２ｂが３つ並列して取り付けられている。
【００１２】
また、バッグ本体１１は、その開口近傍に平紐状の持ち手１１ａが縫いつけられて手提げ可能となっている。
そして、バッグ本体の１１の両側外面には、サイドポケット１１ｂが設けられている。
バッグ本体１１の正面部の内面開口縁には、凹側（雌側）のスナップボタン１１ｃが３つ並列して取り付けられている。
また、バッグ本体１１の背面部の内面開口縁には、凸側のスナップボタン１１ｄが１つ取り付けられており、これと前記ボタン１１ｃを係脱させることでバッグ本体１１は閉塞自在となっている。
【００１３】
さらに、インナーポケット１３には、多くの小物類を収納できるようになっている。
このインナーポケット１３をバッグ本体１１の開口から引き出し、これにバッグ本体１１を折り畳んで収納すると、バッグ１０をコンパクトにできるようになっている。
そのため、バッグ１０に物品を収納していない場合には、コンパクトにして持ち運びを容易にできる。
【００１４】
このショッピングバッグ１０は、上記したスナップボタン１１ｃ、１１ｄ、１２ｂ、持ち手１１ａを除いてすべてナイロンリップ生地、すなわち表面に微細な凹凸が形成されるように編成したナイロン織物生地で縫製されている。
ナイロンリップは丈夫であり、ＪＩＳ  Ｌ０８８４  Ａ法に準拠した引き裂き強さが、通常のナイロン生地とくらべて、たてよこ共に約１．５倍である。
さらに微細な凹凸がバッグ１０の美観を高めてもいる。
【００１５】
ここで、バッグ１０をショッピングに持ち歩き、購入した食料品等を収納する際には、衝撃に強い食料品で大きなものは、バッグ本体１１に収納するのがよい。
そのほか、インナーポケット１３やサイドポケット１１ｂには、財布、鍵、携帯電話等を収納しておくと、その取出しが容易となる。
【００１６】
これらを収納した後に、袋状ポケット１２の下縁部を持ち上げて、バッグ本体１１の正面部の内面上縁に当てる。
そして、袋状ポケット１２の下縁部のスナップボタン１２ｂの凸部を、バッグ本体１１の正面部内面のボタン１１ｃの凹部にはめ込むことで係合させて、袋状ポケット１２をバッグ本体１１内に展張させる。
この展張時に、袋状ポケット１２は撓んでいるように、すなわちハンモック状になるように、バッグ本体１１および袋状ポケット１２の寸法は調整されている。
たとえば、バッグ本体１１のマチ部分の幅よりも、袋状ポケット１２の長さのほうが大きく、袋状ポケット１２を展張した状態で、長さが余るようになっている。
【００１７】
図３のように、この袋状ポケット１２内に卵入りパックＰを収納した場合に、バッグ本体１１に衝撃がかかると、内部のハンモック状の袋状ポケット１２は、バッグ本体１１から独立して揺れ動く。
そのため、衝撃が吸収緩和されてパックＰ内の卵にはほとんど伝わらず、その破損が防止される。
さらに、ハンモック状の袋状ポケット１２の上に苺のパック、寿司のパック、汁物等を載置することもでき、その場合も同様に破損等が防止される。
【００１８】
なお通常の使用態様では、袋状ポケット１２の寸法、ハンモック状に展張した場合の撓み具合等は、袋状ポケット１２内に、卵１０個（２×５個）入りパックＰが過不足なく収まる程度に調整するのが、使い勝手がよいため好ましい。
【００１９】
ここで、袋状ポケット１２の展張状態は、並列する３つのスナップボタン１１ｃ、１２ｂの係合により保持されている。
そのため、卵や苺などの通常想定されるような食料品の場合は、ハンモックに載せても、重みを３つのスナップボタン１１ｃ、１２ｂで分散して支持するため、係合が外れるということはない。
なお、袋状ポケット１２をハンモックとして用いない場合には、スナップボタン１１ｃ、１２ｂの係合を外しておき、通常どおりにポケットとして用いることができる。
【００２０】
また、袋状ポケット１２は上述のようにナイロンリップからできているため、ナイロン繊維の一部がほどけても凹凸により連続的なほどけが抑制されるようになっている。
そのため、ハンモック状態で載せた物品の重みによってナイロン繊維が連続的にほどけ、全体が破断する事態が防がれている。
【００２１】
さらに、このように袋状ポケット１２をハンモック状に展張すると、バッグ本体１１内に収納した食料品の目隠しともなり、バッグ本体１１内に手が届きにくくなるため、食料品の盗難防止にも役立つ。
【００２２】
また、ハンモック状に展張した袋状ポケット１２内に保冷剤を収納して、バッグ１０に収納した食料品が傷まないように冷却することもできる。
【００２３】
実施形態では、バッグ本体１１と袋状ポケット１２下縁部との脱着を、スナップボタン１１ｃ、１２ｂを用いて実現したが、着脱可能な他の部材、例えば面ファスナ、フックとフック差込孔等で代替してもよい。
【００２４】
また、このショッピングバッグ１０は食料品以外の物品を収納してもよく、この場合袋状ポケット１２からなるハンモックには、いわゆるワレモノ類、すなわちガラス製品、陶磁器等を載置収納するのが好適である。
【００２５】
実施形態のバッグ本体１１は、角筒袋状としたが、形状はこれに限定されず、例えば円筒袋状、楕円筒袋状などとしてもよい。
袋状ポケット１２もハンモックとして機能する限りにおいてその形状は限定されず、たとえばマチを設けて角筒袋状にしてもよい。
インナーポケット１３、サイドポケット１１ｂについては、適宜省略したり、変形したりしてもよい。
そのほか、バッグ本体１１の内面や外面にフロントポケット、バックポケット等を適宜設けてもよい。
袋状ポケット１２等のバッグ本体１１への取り付けの方法は、実施形態の縫い付けに限定されず、鋲止め、溶着、接着等でもよい。
【００２６】
さらに、バッグ本体１１の外面には、適宜模様を付してもよい。
たとえば風水に基づいたデザインにすると、自然との調和を目指した風水のイメージと、環境に配慮したエコバッグとしてのショッピングバッグ１０のイメージとがよく合致するため好ましい。
【図面の簡単な説明】
【００２７】
【図１】ショッピングバッグの正面斜視図
【図２】ショッピングバッグの一部切り欠き背面斜視図
【図３】ショッピングバッグの縦断面図
【符号の説明】
【００２８】
１０  ショッピングバッグ
１１  バッグ本体
１１ａ  持ち手
１１ｂ  サイドポケット
１１ｃ、１１ｄ  スナップボタン
１２  袋状ポケット
１２ａ  面ファスナ
１２ｂ  スナップボタン
１３  インナーポケット
Ｐ  卵パック
【図１】
0003138365.tif 000003
【図２】
0003138365.tif 000004
【図３】
0003138365.tif 000005